(57)【特許請求の範囲】
【請求項１】
左右方向を向くパネルまたは横杆に、左右方向を向く少なくとも上下１対の係合部を設け、両係合部に前面側より係合させたブラケットにより、ディスプレイを支持するようにした支持構造において、
前記ブラケットが、上下方向を向く基板の上下両端に、上下１対の前向片が連設された側面視前向きコ字状の支持金具と、この支持金具の後面に正面視十字状をなすように固着された左右方向を向く取付金具とを備え、前記上下の前向片間に挟入して固定した上下方向を向く支持軸に、ディスプレイを支持する前後方向を向く支持アームの後端部の筒部を、水平回動可能に嵌合し、前記パネルまたは横杆の上下の係合部に、前記取付金具の少なくとも両側端部の上下両端に設けた１対の下向鉤状の係止片を係合させ、かつ前記取付金具に、止めねじを、そのおねじ部が前記パネルまたは横杆の前面に設けた左右方向を向く係合溝の開口部上縁と近接または当接するようにして、おねじ部の先端が係合溝の奥面に圧接するまで螺合したことを特徴とするディスプレイの支持構造。
【請求項２】
上下の係止片を、取付金具の上下の端部を折曲することにより、左右方向に全長に亘って形成してなる請求項１記載のディスプレイの支持構造。
【請求項３】
パネルまたは横杆の上面に、左右方向を向く係合溝を設け、この係合溝の前部を上部の係合部として、これに、取付金具の上部の係止片を、係合部の上面と当接するようにして上方より係合させてなる請求項１または２記載のディスプレイの支持構造。
【請求項４】
支持金具の基板の両側端に、前方を向く補強片を、上下方向にほぼ全長に亘って連設してなる請求項１〜３のいずれかに記載のディスプレイの支持構造。
【請求項５】
支持軸に、支持アームの筒部を、高さ調節手段をもって上下位置調節可能に嵌合してなる請求項１〜４のいずれかに記載のディスプレイの支持構造。
【請求項６】
高さ調節手段を、支持軸の外周面に設けられた上下複数の環状溝と、この環状溝に選択的に嵌合され、かつ前記筒部の下端と当接することにより、その下方への移動を阻止するＯリングとからなるものとした請求項５記載のディスプレイの支持構造。
【発明の詳細な説明】
【技術分野】
【０００１】
本発明は、パネル又は横杆等に形成された左右方向を向く上下複数の係合溝により、ディスプレイを支持する支持構造に関する。
【０００２】
このようなディスプレイの従来の支持構造としては、例えば特許文献１に記載されているものがある。
【特許文献１】特開２００５−２１３４０号公報(図１３、図１４)
【発明の開示】
【発明が解決しようとする課題】
【０００３】
上記特許文献に記載されているものにおいては、ディスプレイであるモニター器具を、ブラケット(取付部)に、垂直軸回りと水平軸回りとに回動可能に取付け、ブラケットの後面に突設した上下１対の下向鉤状の係止片を、パネルに取付けた横杆における左右方向を向く上下の係合溝に係合させ、止めねじにより外れ止めをすることにより、横杆にディスプレイを支持する構造となっている。
【０００４】
そのため、左右寸法の大きなディスプレイをブラケットに取付け、ディスプレイを左右方向に大きく回動させたり、あるいは、ブラケットに支持アームを水平回動可能に枢着し、この支持アームの前端部に取付けたディスプレイを、支持アームを介して左右方向に大きく回動させたりした際に、ブラケットの係止片に大きなモーメントや曲げ荷重が加わり、ブラケットがぐらつくなどして、ディスプレイの支持が不安定となる恐れがある。
【０００５】
また、上記実施形態のディスプレイの支持構造では、横杆に対し、ディスプレイの上下位置を調節することができないため、使い勝手が悪い。
【０００６】
本発明は、上記問題点に鑑みてなされたもので、ディスプレイを、パネル又は横杆等の上下複数の係合溝に、ブラケットを介して安定よく支持しうるようにし、かつディスプレイの上下位置も容易に調節しうるようにしたディスプレイの支持構造を提供することを目的としている。
【課題を解決するための手段】
【０００７】
本発明によると、上記課題は、次のようにして解決される。
（１）左右方向を向くパネルまたは横杆に、左右方向を向く少なくとも上下１対の係合部を設け、両係合部に前面側より係合させたブラケットにより、ディスプレイを支持するようにした支持構造において、前記ブラケットが、上下方向を向く基板の上下両端に、上下１対の前向片が連設された側面視前向きコ字状の支持金具と、この支持金具の後面に正面視十字状をなすように固着された左右方向を向く取付金具とを備え、前記上下の前向片間に挟入して固定した上下方向を向く支持軸に、ディスプレイを支持する前後方向を向く支持アームの後端部の筒部を、水平回動可能に嵌合し、前記パネルまたは横杆の上下の係合部に、前記取付金具の少なくとも両側端部の上下両端に設けた１対の下向鉤状の係止片を係合させ、かつ前記取付金具に、止めねじを、そのおねじ部が前記パネルまたは横杆の前面に設けた左右方向を向く係合溝の開口部上縁と近接または当接するようにして、おねじ部の先端が係合溝の奥面に圧接するまで螺合する。
【０００８】
（２）上記(１)項において、上下の係止片を、取付金具の上下の端部を折曲することにより、左右方向に全長に亘って形成する。
【０００９】
（３）上記(１)または(２)項において、パネルまたは横杆の上面に、左右方向を向く係合溝を設け、この係合溝の前部を上部の係合部として、これに、取付金具の上部の係止片を、係合部の上面と当接するようにして上方より係合させる。
（４)上記(１)〜(３)項のいずれかにおいて、支持金具の基板の両側端に、前方を向く補強片を、上下方向にほぼ全長に亘って連設する。
【００１０】
（５）上記(１)〜(４)項のいずれかにおいて、支持軸に、支持アームの筒部を、高さ調節手段をもって上下位置調節可能に嵌合する。
【００１１】
（６）上記(５)項において、高さ調節手段を、支持軸の外周面に設けられた上下複数の環状溝と、この環状溝に選択的に嵌合され、かつ前記筒部の下端と当接することにより、その下方への移動を阻止するＯリングとからなるものとする。
【発明の効果】
【００１２】
請求項１記載の発明によれば、ディスプレイを支持する上下方向を向く支持金具の後面に、左右方向を向く取付金具を、正面視十字状をなすように固着し、取付金具の両側端部に設けた上下の係止片を、パネルまたは横杆の上下の係合部に係合させているので、取付金具のパネルまたは横杆への係合幅が大きくなる。
従って、ディスプレイを支持した支持アームを左右方向に大きく回動させ、取付金具に大きなモーメントや曲げ荷重が加わった際でも、取付金具を含むブラケット全体がぐらつく恐れはなく、ディスプレイを安定よく支持することができる。
しかも、取付金具に螺合した止めねじのおねじ部が、係合溝の開口部上縁と近接または当接するようにし、かつおねじ部の先端を係合溝の奥面に当接させているので、取付金具が係合部より外れる恐れはない。
【００１３】
請求項２記載の発明によれば、上下の係止片が左右方向に連続し、係合部への係合領域が左右方向に長くなるので、取付金具に加わる負荷が左右方向に分散され、ディスプレイをより安定よく支持することができる。
また、上下の係止片を、取付金具に、簡単に一体的に連設することができる。
【００１４】
請求項３記載の発明によれば、パネルまたは横杆の上面に設けた係合溝の前部の係合部に、取付金具の上部の係止片を、係合部の上面と当接するようにして上方より係合させているので、取付金具に加わる下向荷重が、パネルまたは横杆の上面により広範囲に支持され、ディスプレイの支持強度が大となる。
【００１５】
請求項４記載の発明によれば、取付金具の基板の曲げ剛性が、左右の補強片により高められるので、ディスプレイがより安定よく支持される。
【００１６】
請求項５記載の発明によれば、支持アームの上下位置を調節して、ディスプレイの高さを変えうるので、使い勝手が向上する。
【００１７】
請求項６記載の発明によれば、支持軸の外周面に形成した環状溝に、Ｏリングをを選択的に嵌合するだけで、支持アーム及びそれにより支持されたディスプレイの上下位置を簡単に調節することができる。
【発明を実施するための最良の形態】
【００１８】
以下、本発明の実施形態を、図面に基づいて説明する。
図１は、本発明の一実施形態の斜視図、図２は、同じく拡大分解斜視図、図３は、図１のIII-III線拡大縦断側面図、図４は、図３のIV-IV線拡大縦断面図である。
【００１９】
机の天板１の後方を目隠しするようにして、床面に立設されたパネル２の上端には、左右方向を向く横杆３が取付けられている。
横杆３の前後両面(以下、図３の左方を前として説明する)には、先端に互いに対向する上下１対の係合片４、４を突設することにより、開口部の上下寸法が、凹部内の上下寸法よりも小とされた、あり溝状の上下１対ずつの係合溝５、５が、左右方向に全長に亘って形成されている。
【００２０】
また、横杆３の上下両面にも、先端に互いに対向する前後１対の係合片６、６を突設することにより、開口部の前後寸法が、凹部内の前後寸法よりも小とされた、あり溝状の係合溝７、７が、左右方向に全長に亘って形成されている。
【００２１】
ディスプレイ８は、横杆３に、ブラケット９、支持軸１０、及び支持アーム１１を介して、次のようにして支持されている。
ブラケット９は、左右方向を向く平板状の取付金具１２と、その前面の左右方向の中央部に、上下方向の中央部が、正面視十字状をなすように溶接等により固着された支持金具１３とからなっている。
【００２２】
取付金具１２の上下の端縁には、それぞれ、横杆３における上部の係合溝７内において、係合部である前部の係合片６の後端に係合可能な側面視下向鉤状の上部係止片１２a と、横杆３の前面下部の係合溝５内において、係合部である下部の係合片４の背面に係合可能な側面視下向鉤状の下部係止片１２bとが、左右方向に全長に亘って連設されている。
【００２３】
支持金具１３は、上下方向を向く基板１４の上下両端に、互いに平行をなす上下１対の前向片１５、１５を連設することにより、側面視前向きコ字状に形成され、基板１４の両側端には、前方を向く短寸の補強片１４a、１４aが、上下方向に全長に亘って折曲形成されている。
【００２４】
支持軸１０は、上記上下の前向片１５間に挟入可能な上下寸法とされ、外周面には、支持アーム１１の上下位置を調節するための複数の環状溝１６が、一定間隔おきに形成され、この環状溝１６には、Ｏリング１７が、選択的に嵌合されるようになっている。
【００２５】
支持アーム１１は、支持軸１０に遊嵌可能な筒部１８を後端に有するとともに、この筒部１８の前面に、前方に延出する上下１対の支持杆１９、１９を有する第１アーム２０と、両支持杆１９の前端部に水平回動可能に枢着された第２アーム２１と、この第２アーム２１の前端部の二又部２１aに、上下及び左右方向に回動可能に枢着されたディスプレイ取付部材２２とからなり、このディスプレイ取付部材２２前端の垂直をなす取付板２２aに、ディスプレイ８の後面が、複数のねじ２３により固定されるようになっている。
【００２６】
図４に示すように、第１アーム２０における筒部１８の上端部に形成された拡径部１８a内には、図２に示すように、外周面の複数箇所に、下方に開口する縦長のスリット２４が形成された合成樹脂製の軸受２５が、その下端の外周面に突設された凸条２５aを、筒部１８の上端部内周面に設けられた環状溝２６に弾性係合させることにより、嵌着されている。
また、筒部１８の下端部に形成された拡径部１８b内にも、図２に示すように、外周面の複数箇所に、上方に開口する縦長のスリット２４を形成してなる合成樹脂製の軸受２７が、その上端の外周面に突設された凸条２７aを、筒部１８の下端部内周面に設けられた環状溝２６に弾性係合させることにより、嵌着されている。
【００２７】
下部の軸受２７の下半部の内面は、下方に向かって漸次拡径するテーパ孔２８とされている。
支持軸１０を、筒部１８の上下の軸受２５、２７に下方から嵌合すると、支持軸１０の環状溝１６に嵌め込んだＯリング１７が、テーパ孔２８の下端部まで入り込んで停止することにより、筒部１８、すなわち、支持アーム１１及びそれに支持されたディスプレイ８が下方に移動するのが防止され、かつＯリング１７の環状溝１６への嵌合位置を変更することにより、ディスプレイ８の上下位置を調節することができる。
【００２８】
ディスプレイ８を横杆３により支持する際は、次の手順で行われる。
まず、ブラケット９における取付金具１２の上部係止片１２a と下部係止片１２bとを、それぞれ、横杆３の上面の係合溝７における前部の係合片６と、前面下部の係合溝５における下部の係合片４とに上方より係合させ、取付金具１２の下端部の両側端部に設けためねじ孔２９、２９に前方より螺合した止めねじ３０、３０の後端を、係合溝５内の奥面(前面)に圧接させて取付金具１２を固定することにより、ブラケット９を横杆３に取付ける。
止めねじ３０を螺合した際、そのおねじ部の上面が、下部の係合溝５における上部の係合片４の上縁と近接または当接するようになっており、これにより、ブラケット９が横杆３より外れるのが防止される。
【００２９】
ついで、支持軸１０を、支持アーム１１における第１アーム２０の筒部１８に、上述した要領で嵌合し、支持アーム１１を所望の高さに調節した後、支持軸１０を、支持金具１３の上下の前向片１５、１５間に挟入し、両前向片１５に上方と下方より挿入したねじ３１、３１を、支持軸１０の上下の端面に設けためねじ(下方のものは図示略)３２に螺合することにより、支持アーム１１の基部を、支持軸１０を介して、ブラケット９に水平回動可能に取付ける。
【００３０】
ついで、ディスプレイ取付部材２２の取付板２２aに、ディスプレイ８の後面中央部を、ねじ２３により固定する。これにより、ディスプレイ８は、横杆３に、左右方向に大きく揺動しうるとともに、上下位置を調節可能として支持される。
横杆３に対し、ディスプレイ８の左右方向の取付位置を変更する際には、止めねじ３０を若干緩めて、ブラケット９を、横杆３の係合溝５、７に沿って左右方向に摺動させ、所望の位置で再度止めねじ３０を締め付ければよい。
【００３１】
以上説明したように、上記実施形態においては、ブラケット９の取付金具１２は左右方向を向き、かつそれに設けた左右方向に長い上下の係止片１２a 、１２bを、横杆３の上面の係合溝７の前部の係合片６と、前面下部の係合溝５における下部の係合片４に係合させているので、横杆３に対する取付金具１２の係合領域が左右方向に長くなる。
従って、支持アーム１１を回動させてディスプレイ８を左右方向に大きく移動させ、取付金具１２に大きなモーメントや曲げ荷重が加わった際でも、取付金具１２を含むブラケット９全体がぐらつく恐れはなく、ディスプレイ８が安定よく支持される。
しかも、取付金具１２の下向鉤状をなす上部係止片１２a は、横杆３の上面に当接した状態で、係合溝７の前部の係合片６に係合しており、取付金具１２に加わる下向荷重が、横杆３の上面により広範囲に支持されるので、取付金具１２に加わる負荷が分散され、ディスプレイ８の支持強度が大となる。
【００３２】
支持軸１０に設けた上下複数の環状溝１６に、Ｏリング１７を選択的に嵌め込み、このＯリング１７により、筒部１８が下方に移動するのを防止するだけで、支持アーム１１及びそれに取付けたディスプレイ８の上下位置を容易に調節することができる。
【００３３】
なお、上記実施形態では、取付金具１２の上部係止片１２a を、横杆３の上面に設けた係合溝７の前部の係合片６に係合させているが、横杆３の前面上部の係合溝５における下部の係合片４に係合させることもある。
また、横杆３の代わりに、パネル２の上部に上下１対の係合溝を設け、この係合溝に、上部係止片１２a と下部係止片１２bを係合させることもある。
【図面の簡単な説明】
【００３４】
【図１】本発明の一実施形態の斜視図である。
【図２】同じく、拡大分解斜視図である。
【図３】図１のIII-III線拡大縦断側面図である。
【図４】図３のIV-IV線拡大縦断面図である。
【符号の説明】
【００３５】
１    天板
２    パネル
３    横杆
４    係合片(係合部)
５    係合溝
６    係合片(係合部)
７    係合溝
８    ディスプレイ
９    ブラケット
１０  支持軸
１１  支持アーム
１２  取付金具
１２a 上部係止片
１２b 下部係止片
１３  支持金具
１４  基板
１４a 補強片
１５  前向片
１６  環状溝
１７  Ｏリング
１８  筒部
１８a 拡径部
１８b 拡径部
１９  支持杆
２０  第１アーム
２１  第２アーム
２１a 二又部
２２  ディスプレイ取付部材
２２a 取付板
２３  ねじ
２４  スリット
２５  軸受
２５a 凸条
２６  環状溝
２７  軸受
２７a 凸条
２８  テーパ孔
２９  めねじ孔
３０  止めねじ
３１  ねじ
３２  めねじ
【図１】
0005117200.tif 000002
【図２】
0005117200.tif 000003
【図３】
0005117200.tif 000004
【図４】
0005117200.tif 000005